(57)【要約】【課題】一方の装置から他方の装置にコンテンツ信号の供給を行い、他方の装置の動作を一方の装置の動作と容易かつ確実に連動させてコンテンツ信号の処理を行わせる。【解決手段】放送受信装置２０と記録再生装置６０を信号ケーブル９０で接続してコンテンツ信号の供給を行うとき、一方の装置では、他方の装置を遠隔操作するためのコマンド信号を電波による無線通信で他方の装置に供給して、他方の装置の動作を一方の装置の動作と連動させる。例えば放送受信装置２０からコマンド信号を電波による無線通信で記録再生装置６０に供給して、放送受信装置２０から供給するコンテンツ信号を記録させる。記録再生装置６０の動作を放送受信装置の動作と容易かつ確実に連動させてコンテンツ信号の記録を行える。【選択図】        図１
2009010643.tif 000002
【特許請求の範囲】
【請求項１】
複数の装置を接続して一方の装置から他方の装置にコンテンツ信号の供給を行うように構成された装置制御システムにおいて、
前記一方の装置は、
電波による無線通信を行う無線通信部と、
前記コンテンツ信号の出力処理と前記無線通信部の通信処理を制御する制御部を有し、
前記他方の装置は、
電波による無線通信を行う無線通信部と、
供給された前記コンテンツ信号の処理と前記他方の装置における無線通信部の通信処理を制御する制御部を有し、
前記一方の装置に、前記他方の装置を遠隔操作するためのコマンド信号を生成するコマンド信号生成部を設け、前記コマンド信号生成部が設けられている一方の装置の制御部は、前記無線通信部から前記コマンド信号を前記他方の装置に供給することで、前記他方の装置の動作を前記一方の装置の動作に連動させて、前記一方の装置から出力されるコンテンツ信号を前記他方の装置で処理させる
ことを特徴とする装置制御システム。
【請求項２】
前記一方の装置として、放送信号を受信してコンテンツ信号の出力を行う放送受信装置を用いるものとし、
前記他方の装置として、コンテンツ信号の記録処理を行う記録装置を用いるものとし、
前記コマンド信号生成部が設けられている前記放送受信装置の制御部は、前記無線通信部から前記コマンド信号を前記記録装置に供給することで、前記記録装置の動作を前記放送受信装置の動作に連動させて、前記放送受信装置から出力されるコンテンツ信号を前記記録装置に記録させる
ことを特徴とする請求項１記載の装置制御システム。
【請求項３】
前記放送受信装置は、コンテンツ信号の記録予約情報を記憶するメモリ部を有し、
前記放送受信装置の制御部は、前記記録予約情報に基づき、前記コンテンツ信号を前記記録装置に供給する処理と、前記記録装置で前記コンテンツ信号を記録させるコマンド信号を前記コマンド信号生成部で生成させて前記無線通信部から前記記録装置に供給する処理を行い、
前記記録装置の制御部は、前記無線通信部で前記コンテンツ信号を記録させるコマンド信号を受信したとき、前記放送受信装置から供給された前記コンテンツ信号の記録処理を行う
ことを特徴とする請求項２記載の装置制御システム。
【請求項４】
前記放送受信装置と前記記録装置を遠隔操作するためのリモートコントロール装置を有し、
前記リモートコントロール装置には、
前記放送受信装置と前記記録装置の無線通信部と電波による無線通信を行う無線通信部と、
コンテンツ信号の記録予約情報を記憶するメモリ部と、
コマンド信号を生成するコマンド信号生成部と、
前記コマンド信号の生成処理と前記リモートコントロール装置の無線通信部の通信処理を制御する制御部を設け、
前記リモートコントロール装置の制御部は、前記記録予約情報に基づき前記コマンド信号生成部でコマンド信号を生成させて、該コマンド信号を前記無線通信部から前記放送受信装置と前記記録装置に供給することで、前記放送受信装置からコンテンツ信号を出力させて前記記録装置に記録させる
ことを特徴とする請求項２記載の装置制御システム。
【請求項５】
前記一方の装置として、コンテンツ信号の記録と該記録するコンテンツ信号の出力を行う記録装置を用いるものとし、
前記他方の装置として、コンテンツ信号を用いて表示処理を行う表示装置を用いるものとし、
前記コマンド信号生成部が設けられている記録装置の制御部は、前記無線通信部から前記コマンド信号を前記表示装置に供給することで、前記表示装置の動作を前記記録装置の動作に連動させて、前記記録装置で記録される前記コンテンツ信号に基づく映像を前記表示装置で表示させる。
ことを特徴とする請求項１記載の装置制御システム。
【請求項６】
前記一方の装置と他方の装置の無線通信部はＩＥＥＥ８０２．１５．４に準拠した無線通信を行う
ことを特徴とする請求項１記載の装置制御システム。
【請求項７】
複数の装置を接続して一方の装置から他方の装置にコンテンツ信号の供給を行うようになされているときの装置制御方法において、
前記一方の装置に、他方の装置を遠隔操作するためのコマンド信号を生成する工程と、前記生成されたコマンド信号を電波による無線通信で他方の装置に供給する工程を設けものとし、
他方の装置には、受信した前記コマンド信号に基づいて、供給された前記コンテンツ信号の処理を行う工程を設けるものとし、
前記他方の装置の動作を前記一方の装置の動作に連動させて、前記一方の装置から出力される前記コンテンツ信号を前記他方の装置で処理させる
ことを特徴とする装置制御方法。
【請求項８】
電波による無線通信を行うことで得られたコマンド信号に基づいてコンテンツ信号の記録を行う記録装置に接続される放送受信装置において、
電波による無線通信を行う無線通信部と、
前記記録装置を遠隔操作するためのコマンド信号の生成を行うコマンド信号生成部と、
放送信号を受信して得られたコンテンツ信号を前記記録装置に供給する処理と、該コンテンツ信号の供給を行う際に該コンテンツ信号を前記記録装置で記録させるコマンド信号を前記コマンド信号生成部で生成させる処理と、該生成されたコマンド信号を前記無線通信部から前記記録装置に供給する処理を行い、前記記録装置の記録動作を前記コンテンツ信号の出力動作と連動させる制御部を設けた
ことを特徴とする放送受信装置。
【請求項９】
コンテンツ信号の記録予約情報を記憶するメモリ部を有し、
前記制御部は、前記記録予約情報に基づいて、前記記録予約情報で示されたコンテンツのコンテンツ信号を前記記録装置に供給する処理と、前記記録装置で前記コンテンツ信号を記録させるコマンド信号を前記コマンド信号生成部で生成させる処理を行う
ことを特徴とする請求項８記載の放送受信装置。
【請求項１０】
電波による無線通信を行うことで得られたコマンド信号に基づいて映像表示を行う表示装置に接続される記録装置において、
前記表示装置を遠隔操作するためのコマンド信号の生成を行うコマンド信号生成部と、
コンテンツ信号を記録するとき、該記録するコンテンツ信号を前記表示装置に供給する処理と、前記表示装置に供給したコンテンツ信号に基づく映像表示を行わせるコマンド信号を前記コマンド信号生成部で生成させる処理と、該生成されたコマンド信号を前記無線通信部から前記表示装置に供給する処理を行い、前記表示装置の表示動作をコンテンツ信号の記録動作と連動させる制御部を設けた
ことを特徴とする記録装置。
【請求項１１】
コンテンツ信号の記録予約情報を記憶するメモリ部を有し、
前記制御部は、前記記録予約情報に基づいて、前記記録予約情報で示されたコンテンツのコンテンツ信号記録処理と、該記録するコンテンツ信号を前記表示装置に供給する処理と、前記表示装置に供給した前記コンテンツ信号に基づく映像表示を行わせるコマンド信号を前記コマンド信号生成部で生成させる処理を行う
ことを特徴とする請求項１０記載の記録装置。
【請求項１２】
前記制御部は、前記表示装置に供給した前記コンテンツ信号に基づく映像表示を行わせるコマンド信号として、前記表示装置で複数画面表示を行わせるコマンド信号を前記コマンド信号生成部で生成させる処理を行う
ことを特徴とする請求項１０記載の記録装置。
【発明の詳細な説明】
【技術分野】
【０００１】
この発明は、装置制御システムと装置制御方法および放送受信装置と記録装置に関する。詳しくは、複数の装置を接続して一方の装置から他方の装置にコンテンツ信号の供給を行うとき、一方の装置では、他方の装置を遠隔操作するためのコマンド信号を生成して電波による無線通信で他方の装置に供給し、他方の装置では、受信したコマンド信号に基づいた動作を行い、他方の装置の動作を一方の装置の動作と連動させて、供給されたコンテンツ信号の処理を行わせるものである。
【背景技術】
【０００２】
従来、テレビジョン装置や記録再生装置等の電子機器を遠隔操作する場合、ユーザは電子機器に対応したリモートコントロール装置を操作して、リモートコントロール装置からユーザ操作に応じた赤外線信号を電子機器に供給させることが行われている。
【０００３】
また、特許文献１のように、ユーザと電子機器が離れていても、ユーザ操作に応じた赤外線信号を電子機器に供給できるシステムが実用化されている。このシステムでは、ネットワークに接続されたサーバ装置にＡＶマウスが設けられており、サーバ装置はネットワークを介してユーザ側から供給された操作命令に応じて、ＡＶマウスから赤外線信号を出力させる。このため、ユーザによって遠隔操作される電子機器は、ＡＶマウスから出力される赤外線信号を受信することで、ユーザと電子機器が離れていても、ユーザ操作に応じて電子機器を動作させることができる。
【０００４】
【特許文献１】特開２００４−２２０１０６号公報
【発明の開示】
【発明が解決しようとする課題】
【０００５】
ところで、赤外線信号を用いたリモートコントロール装置では、離れた位置でも正しく赤外線信号を受信できるように指向性が狭いものとされている。このため、複数の装置を接続して一方の装置から他方の装置にコンテンツ信号の供給を行う場合、ＡＶマウスとＡＶマウスから出力される赤外線信号を受信する装置は、赤外線信号の通信が正しく行われるように設置しないと、赤外線信号を受信する装置の動作をＡＶマウスが接続された装置の動作と連動させることができず、供給されたコンテンツ信号の処理を行うことができなくなってしまう。
【０００６】
例えば放送受信装置で放送コンテンツの受信を行ったときに、受信した放送コンテンツのコンテンツ信号を記録装置に供給して自動的に記録させる場合、赤外線信号の通信が正しく行われるようにＡＶマウスとＡＶマウスから出力される赤外線信号を受信する装置が設置されていないと、記録装置の動作を放送受信装置の動作と連動させることができなくなり、受信した放送コンテンツのコンテンツ信号を記録装置で記録できなくなってしまう。
【０００７】
そこで、この発明では、複数の装置を接続して一方の装置から他方の装置にコンテンツ信号の供給を行うとき、容易かつ確実に他方の装置の動作を一方の装置の動作と連動させてコンテンツ信号の処理を行うことができるようにするものである。
【課題を解決するための手段】
【０００８】
この発明の概念は、一方の装置から他方の装置にコンテンツ信号の供給を行うとき、一方の装置では、他方の装置を遠隔操作するためのコマンド信号を生成して、この生成されたコマンド信号を電波による無線通信で他方の装置に供給し、他方の装置では、受信したコマンド信号に基づいた動作を行うことで、他方の装置の動作を一方の装置の動作と連動させて、コンテンツ信号の処理を行えるようにするものである。
【０００９】
この発明に係る装置制御システムは、複数の装置を接続して一方の装置から他方の装置にコンテンツ信号の供給を行うように構成された装置制御システムにおいて、前記一方の装置は、電波による無線通信を行う無線通信部と、前記コンテンツ信号の出力処理と前記無線通信部の通信処理を制御する制御部を有し、前記他方の装置は、電波による無線通信を行う無線通信部と、供給された前記コンテンツ信号の処理と前記他方の装置の無線通信部の通信処理を制御する制御部を有し、前記一方の装置に、他方の装置を遠隔操作するためのコマンド信号を生成するコマンド信号生成部を設け、前記コマンド信号生成部が設けられている一方の装置の制御部は、前記無線通信部から前記コマンド信号を他方の装置に供給することで、他方の装置の動作を一方の装置の動作に連動させて、前記一方の装置から出力されるコンテンツ信号を前記他方の装置で処理させるものである。
【００１０】
この発明に係る装置制御方法は、複数の装置を接続して一方の装置から他方の装置にコンテンツ信号の供給を行うようになされているときの装置制御方法において、前記一方の装置に、他方の装置を遠隔操作するためのコマンド信号を生成する工程と、前記生成されたコマンド信号を電波による無線通信で他方の装置に供給する工程を設けものとし、他方の装置には、受信した前記コマンド信号に基づいて、供給された前記コンテンツ信号の処理を行う工程を設けるものとし、前記他方の装置の動作を前記一方の装置の動作に連動させて、前記一方の装置から出力されるコンテンツ信号を前記他方の装置で処理させるものである。
【００１１】
この発明に係る放送受信装置は、電波による無線通信を行うことで得られたコマンド信号に基づいてコンテンツ信号の記録を行う記録装置に接続される放送受信装置において、電波による無線通信を行う無線通信部と、前記記録装置を遠隔操作するためのコマンド信号の生成を行うコマンド信号生成部と、放送信号を受信して得られたコンテンツ信号を前記記録装置に供給する処理と、該コンテンツ信号の供給を行う際に該コンテンツ信号を前記記録装置で記録させるコマンド信号を前記コマンド信号生成部で生成させる処理と、該生成されたコマンド信号を前記無線通信部から前記記録装置に供給する処理を行い、前記記録装置の記録動作を前記コンテンツ信号の出力動作と連動させる制御部を設けたものである。
【００１２】
さらに、この発明に係る記録装置は、電波による無線通信を行うことで得られたコマンド信号に基づいて映像表示を行う表示装置に接続される記録装置において、前記表示装置を遠隔操作するためのコマンド信号の生成を行うコマンド信号生成部と、コンテンツ信号を記録するとき、該記録するコンテンツ信号を前記表示装置に供給する処理と、前記表示装置に供給したコンテンツ信号に基づく映像表示を行わせるコマンド信号を前記コマンド信号生成部で生成させる処理と、該生成されたコマンド信号を前記無線通信部から前記表示装置に供給する処理を行い、前記表示装置の表示動作をコンテンツ信号の記録動作と連動させる制御部を設けたものである。
【発明の効果】
【００１３】
この発明によれば、複数の装置を接続して一方の装置から他方の装置にコンテンツ信号の供給が行われるとき、一方の装置では、他方の装置を遠隔操作するためのコマンド信号が生成されて、この生成されたコマンド信号が電波による無線通信で他方の装置に供給される。また、他方の装置では、受信したコマンド信号に基づいた動作が行われる。
【００１４】
このため、ＡＶマウスと赤外線信号を受信する装置を用いる場合のように正しく位置の設定を行わなくとも、一方の装置で他方の装置の遠隔操作を行って、他方の装置の動作を一方の装置の動作と連動させることが容易かつ確実に行えるので、他方の装置に供給されたコンテンツ信号の処理を確実に行わせることができる。
【発明を実施するための最良の形態】
【００１５】
以下、図を参照しながら、この発明の実施の一形態について説明する。図１はこの発明に係る装置制御システムの構成を示している。装置制御システム１０は、複数の装置を接続した構成とされており、一方の装置から他方の装置にコンテンツ信号の供給を行うようになされている。例えば放送受信装置と、コンテンツ信号の記録を行う記録装置あるいはコンテンツ信号の記録だけでなく記録されたコンテンツ信号を再生できる記録再生装置が接続された構成とされている。さらに、装置制御システム１０は、リモートコントロール装置８０を用いて構成することもできる。なお、以下の説明では、放送受信装置として、放送コンテンツの受信だけでなく映像表示を行うことができるテレビジョン装置を用いるものとする。また、記録再生装置を用いるものとする。
【００１６】
放送受信装置２０と記録再生装置６０は、信号ケーブル９０を介して接続されており、放送コンテンツの映像信号や音声信号であるコンテンツ信号が、この信号ケーブルを用いて一方の装置から他方の装置に供給される。また、放送受信装置２０と記録再生装置６０には、電波による無線通信を行う無線通信部（図示せず）がそれぞれ設けられており、一方の装置から他方の装置を遠隔操作するためのコマンド信号例えばリモコンコードが、無線通信によって一方の装置から他方の装置に供給される。また、リモートコントロール装置８０を用いて装置制御システム１０を構成する場合、リモートコントロール装置８０にも電波を用いて無線通信を行う無線通信部が設けられる。
【００１７】
図２は、放送受信装置２０の構成を示している。ディジタルテレビジョン放送波を受信することにより得られた放送信号ＳRFは、フロントエンド部２１に供給される。
【００１８】
フロントエンド部２１は、チューナ部や復調部を用いて構成されている。チューナ部は、後述する制御部４１からの制御信号ＣＴtaに基づいて選局処理を行い、放送信号ＳRFから選局したチャンネルの中間周波信号を生成して復調部に供給する。復調部は、中間周波信号のディジタル復調処理を行い、得られたトランスポートストリームＴＳをデマルチプレクサ２２に供給する。
【００１９】
デマルチプレクサ２２は、トランスポートストリームＴＳから時分割多重されている所望の映像パケットや音声パケット、番組表やソフトウェア等の情報パケットを抽出する処理を行う。また、パケットを抽出することにより得られた映像と音声のパケットデータＰＤvaはデコーダ部２３、情報信号ＰＤdは制御部４１にそれぞれ供給する。なお、デマルチプレクサ２２の動作は、制御部４１からの制御信号ＣＴmpに基づいて制御される。
【００２０】
デコーダ部２３は、映像と音声のパケットデータＰＤvaの復号処理を行い、得られた放送コンテンツのコンテンツ信号である映像信号ＳＶtaと音声信号ＳＡtaを信号選択部２５に供給する。
【００２１】
入力端子２４は、外部機器例えば記録再生装置６０から供給されたコンテンツ信号を放送受信装置２０に入力するためのものである。この入力端子２４に供給されたコンテンツ信号例えば映像信号ＳＶreと音声信号ＳＡreは、信号選択部２５に供給される。
【００２２】
信号選択部２５は、デコーダ部２３や入力端子２４から供給されたコンテンツ信号の選択を行い、選択した映像信号ＳＶaを映像信号処理部２６、選択した音声信号ＳＡaを音声信号処理部２９に供給する。また、後述する表示部２８で複数画面表示例えば親子画面表示や分割画面表示を行う場合、信号選択部２５は複数のコンテンツの映像信号を選択して映像信号処理部２６に供給する。さらに、放送受信装置２０でコンテンツ信号の出力を行う場合、信号選択部２５は出力するコンテンツ信号を選択して、選択した映像信号ＳＶtvと音声信号ＳＡtvを出力端子３１に供給する。なお、信号選択部２５は、制御部４１からの制御信号ＣＴsaに基づき信号の選択動作を行う。
【００２３】
映像信号処理部２６は、制御部４１から供給された制御信号ＣＴvに基づき、映像信号ＳＶaに対して種々の映像処理を行い、映像処理後の映像信号ＳＶbを重畳処理部２７に供給する。映像信号処理部２６は、例えば映像処理としてコントラスト調整、ノイズリダクション処理、明るさ調整、ガンマ補正、色調整(色相、彩度)、インタレース方式の映像信号をプログレッシブ方式の映像信号に変換するＩ／Ｐ変換処理、後述する表示部２８の解像度に合わせて水平および垂直方向の画素数を調整するスケーリング処理、映像信号のフレームレート変換処理等を必要に応じて行う。また、映像信号処理部２６は、表示部２８で複数画面表示を行う場合、複数のコンテンツの映像を親子画面表示や分割画面表示とする処理を行う。
【００２４】
重畳処理部２７は、制御部４１からの制御信号ＣＴjに基づいて、表示部２８の画面上に表示する文字画像等の表示信号を生成する。さらに生成した表示信号を、映像信号処理部２６から供給された映像信号ＳＶbに重畳して映像信号ＳＶcを生成して表示部２８に供給する。
【００２５】
表示部２８は、例えばＰＤＰ(Plasma Display Panel)、ＬＣＤ(Liquid Crystal Display)、ＦＥＤ(Field Emission Display)、有機ＥＬ(Electro Luminescence)等のフラットパネルディスプレイデバイスや陰極線管等の表示デバイスを用いて構成されている。表示部２８は、重畳処理部２７から供給された映像信号ＳＶcに基づき、表示デバイスを駆動して、放送コンテンツの映像や文字画像等が重畳された映像を画面上に表示する。
【００２６】
音声信号処理部２９は、制御部４１から供給された制御信号ＣＴaに基づき、音声信号ＳＡaに対して音質調整や音量調整を行う。また、音声信号処理部２９にはスピーカ３０が接続されており、調整処理後の音声信号である音声出力信号ＳＡbによってスピーカ３０を駆動して放送コンテンツ等の音声を出力する。
【００２７】
制御部４１は、マイクロコンピュータ等を用いて構成されており、メモリ部４２やコマンド信号生成部４３および無線通信部４４やユーザインタフェース部４６が接続されている。
【００２８】
メモリ部４２は、放送受信装置２０を動作させるためのプログラム、種々の設定情報、予約設定した放送番組を選局して記録再生装置６０に記録させるための記録予約情報等が記憶される。
【００２９】
コマンド信号生成部４３は、制御部４１からの制御信号ＣＴcaに基づき、入力端子２４や出力端子３１に接続された機器を遠隔操作するためのコマンド信号ＲＭa、例えば記録再生装置６０を遠隔操作するためのリモコンコードを生成して無線通信部４４に供給する。
【００３０】
無線通信部４４は、記録再生装置６０等と電波による無線通信を行うためのものである。この無線通信部４４にはアンテナ４５が接続されている。無線通信部４４は、例えば少ない消費電力で無線通信を行うことができるように、近距離通信を想定した低通信レート向けの規格であるＩＥＥＥ８０２．１５．４に準拠した無線通信を行う。無線通信部４４は、コマンド信号生成部４３から供給されたコマンド信号ＲＭaをパケット化したのち、送信先や送信元のアドレス等を示すヘッダ情報を付加する。このヘッダ情報が付加された信号に対して、Ｏ−ＱＰＳＫ(Offset Quadrature Phase Shift Keying )変調処理を行う。さらに、この変調処理によって得られた変調信号を、ＤＳＳＳ(Direct Sequence Spread Spectrum)方式で拡散変調して、２．４ＧＨｚの周波数帯の無線信号として送信する。
【００３１】
また、無線通信部４４は、無線信号を受信して逆拡散処理を行い、ＤＳＳＳ方式で拡散変調される前の変調信号に戻し、この変調信号の復調処理を行うことで、Ｏ−ＱＰＳＫ変調処理前のベースバンド信号を生成する。ここで、ベースバンド信号から自己宛のパケットの抽出処理等を行うことで得られた受信信号ＲＳaを制御部４１に供給する。
【００３２】
この無線通信部４４は、動作モードとして通常モードと間欠受信モードの切り換えが可能とされている。間欠受信モードは、動作状態と休止状態を繰り返すことで、無線信号の受信を間欠的に行い、通常モードよりも消費電力を削減した動作モードである。このため、無線通信部４４を間欠受信モードで動作させておけば、消費電力を少なくできる。また、休止状態の期間よりも長く無線信号の送出を行い、間欠受信モードで動作が行われていても無線信号を受信できるようにする。
【００３３】
なお、放送受信装置２０と例えば記録再生装置６０との間で電波を用いた無線通信を行う場合、従来のＡＶマウスを用いた赤外線通信に比べて指向性が広いことから、放送受信装置２０や記録再生装置６０の周辺に他の電子機器が設置されていると、意図しない装置が操作されてしまうおそれがある。そこで、放送受信装置２０と無線通信を行う記録再生装置６０等の間で予めペアリングを行い、ペアリングによって設定した識別情報をヘッダ情報に含めて無線通信を行い、受信した信号から正しい識別情報をヘッダ情報に含むパケットのみを抽出することで、放送受信装置２０と予め登録した記録再生装置６０等との間でのみ無線通信を行うことができるようになる。
【００３４】
ユーザインタフェース部４６は、操作キーやリモートコントロール信号受信部等で構成されており、操作キーやリモートコントロール装置のユーザ操作に応じた操作信号ＰＳaを生成して制御部４１に供給する。
【００３５】
制御部４１は、メモリ部４２から読み出したプログラムを実行して、メモリ部４２に記憶されている設定情報や無線通信部４４から供給された受信信号ＲＳa、ユーザインタフェース部４６から供給された操作信号ＰＳa等に基づき種々の制御信号を生成して各部に供給することで、放送受信装置２０の動作がユーザ操作や外部機器からの指示に応じた動作となるように各部を制御する。また、制御部４１は時計機能を有しており、メモリ部４２に記憶されている記録予約情報に基づき、予約された番組を自動的に選局して番組のコンテンツ信号を出力できるように各部を制御する。また、出力したコンテンツ信号を記録再生装置６０で記録できるようにコマンド信号ＲＭaの送信処理を行う。
【００３６】
図３は、記録再生装置６０の構成を示している。アナログテレビジョン放送波を受信して得られた放送信号ＳRFは、フロントエンド部６１に供給される。
【００３７】
フロントエンド部６１は、チューナ部や復調部を用いて構成されている。チューナ部は、後述する制御部７１からの制御信号ＣＴtbに基づいて選局処理を行い、放送信号ＳRFから選局したチャンネルの中間周波信号を生成して復調部に供給する。復調部は、中間周波信号の復調処理を行い、得られた放送コンテンツのコンテンツ信号である映像信号ＳＶtbと音声信号ＳＡtbを入力切換部６５に供給する。
【００３８】
入力端子６４は、外部機器例えば放送受信装置２０から供給されたコンテンツ信号を記録再生装置６０に入力するためのものである。この入力端子６４に供給されたコンテンツ信号例えば映像信号ＳＶtvと音声信号ＳＡtvは、入力切換部６５に供給される。
【００３９】
入力切換部６５は、フロントエンド部６１や入力端子６４から供給されたコンテンツ信号の選択を行い、選択した映像信号ＳＶdを映像信号処理部６６、選択した音声信号ＳＡdを記録再生信号処理部６７に供給する。なお、入力切換部６５は、制御部７１からの制御信号ＣＴsbに基づき信号の選択を行う。
【００４０】
映像信号処理部６６は、記録する映像信号ＳＶdのノイズ低減処理等を行い、処理後の映像信号ＳＶeを記録再生信号処理部６７に供給する。
【００４１】
記録再生信号処理部６７は、映像信号ＳＶeや音声信号ＳＡdの符号化処理や多重化処理を行い記録信号ＷＤを生成して記録再生部６９に供給する。また、記録再生部６９から供給された再生信号ＲＤの分離処理や復号化処理を行い映像信号と音声信号を生成する。さらに、記録再生信号処理部６７は、コンテンツ信号の記録動作時には、記録する映像信号を映像信号ＳＶre、記録する音声信号を音声信号ＳＡreとして出力端子６８に供給し、コンテンツ信号の再生動作時には、再生された映像信号を映像信号ＳＶreとして出力端子６８に供給し、再生記録する音声信号を音声信号ＳＡreとして出力端子６８に供給することで、出力端子６８からコンテンツ信号の出力を行う。なお、記録再生信号処理部６７は、制御部７１からの制御信号ＣＴrwに基づき記録信号ＷＤの生成や再生信号ＲＤの処理等を行う。
【００４２】
記録再生部６９は、磁気テープや光ディスク、磁気ディスク，半導体メモリ等の記録媒体を用いて構成されており、記録再生信号処理部６７から供給された記録信号ＷＤを記録媒体に記録する。また、記録媒体に記録されている信号を読み出して、再生信号ＲＤとして記録再生信号処理部６７に供給する。なお、記録再生部６９は、制御部７１からの制御信号ＣＴdに基づき信号の記録や読み出しを行う。
【００４３】
制御部７１は、マイクロコンピュータ等を用いて構成されており、メモリ部７２やコマンド信号生成部７３および無線通信部７４やユーザインタフェース部７６が接続されている。
【００４４】
メモリ部７２は、記録再生装置６０を動作させるためのプログラム、種々の設定情報が記憶される。また、予約設定した放送番組を選局して記録再生装置６０に記録させるための記録予約情報等も記憶可能とされている。
【００４５】
コマンド信号生成部７３は、制御部７１からの制御信号ＣＴcbに基づき、入力端子６４や出力端子６８に接続された機器を遠隔操作するためのコマンド信号ＲＭb、例えば放送受信装置２０を遠隔操作するためのリモコンコードを生成して無線通信部７４に供給する。
【００４６】
無線通信部７４は、放送受信装置２０等と電波による無線通信を行うためのものである。この無線通信部７４にはアンテナ７５が接続されている。無線通信部７４は無線通信部４４と同様に構成されており、例えばコマンド信号生成部７３から供給されたコマンド信号ＲＭbを無線信号として送信する。また、無線通信部４４は、無線信号を受信して得られた受信信号ＲＳbを制御部７１に供給する。
【００４７】
ユーザインタフェース部７６は、操作キーやリモートコントロール信号受信部等で構成されており、操作キーやリモートコントロール装置のユーザ操作に応じた操作信号ＰＳbを生成して制御部７１に供給する。
【００４８】
制御部７１は、メモリ部７２から読み出したプログラムを実行して、メモリ部７２に記憶されている設定情報や無線通信部７４から供給された受信信号ＲＳb、ユーザインタフェース部７６から供給された操作信号ＰＳb等に基づき種々の制御信号を生成して各部に供給することで、記録再生装置６０の動作がユーザ操作や外部機器からの指示に応じた動作となるように各部を制御する。また、メモリ部７２に記録予約情報が記憶される場合、制御部７１に時計機能を設けるものとして、予約番組の時刻となるときに自動的に予約番組を選局してコンテンツ信号を記録できるように各部を制御する。さらに、記録したコンテンツ信号を放送受信装置２０表示できるようにコマンド信号ＲＭbの送信処理を行う。
【００４９】
次に、放送受信装置２０と記録再生装置６０の動作について説明する。図１に示すように、コンテンツ信号を伝送するための信号ケーブル９０を介して放送受信装置２０と記録再生装置６０が接続されており、記録再生装置６０が例えば図３に示す構成とされてアナログテレビジョン放送のみ受信できる場合、放送コンテンツを高品質に記録するためには、放送受信装置２０でディジタルテレビジョン放送を受信して得られたコンテンツ信号を記録再生装置６０に供給して記録することが望ましい。このため、放送受信装置２０で番組予約を行い、予約番組のコンテンツ信号を放送受信装置２０から記録再生装置６０に供給して記録する場合について説明する。
【００５０】
図４は放送受信装置２０の動作、図５は記録再生装置６０の動作を示すフローチャートである。なお、番組の予約を行う場合、例えばディジタル放送信号に重畳されているＥＰＧ（Electronic Program Guide）情報を用いて番組予約メニュー画面を放送受信装置２０の表示部２８に表示させて、リモートコントロール装置８０からのコマンド信号に基づいて予約設定操作を行い、メモリ部４２に予約番組を示す記録予約情報を記憶させればよい。また、ＥＰＧ情報を用いる場合に限らず、番組予約に必要とされる情報がコード化されたコードデータをリモートコントロール装置８０で入力することで記録予約情報を記憶させるものとしてもよい。
【００５１】
図４のステップＳＴ１で制御部４１は、予約番組の放送開始から記録準備期間前となった否かを判別する。制御部４１は、現在時刻が予約番組の放送開始から記録準備期間前となったときステップＳＴ２に進み、記録準備期間前となっていないときはステップＳＴ１に戻る。なお、記録準備期間とは、予約番組のコンテンツ信号を記録する制御動作を開始してからコンテンツ信号の記録が可能となるまでに要する期間であり、例えば放送受信装置２０の動作を開始させて予約番組の選局が完了するまでに要する時間、およびコマンド信号を記録再生装置６０に供給してコンテンツ信号の記録可能状態となるまでに要する時間に基づいて設定する。
【００５２】
ステップＳＴ２で制御部４１は、放送受信装置２０を動作状態に設定してステップＳＴ３に進む。
【００５３】
ステップＳＴ３で制御部４１は、記録再生装置６０に対して動作開始通知を行う。制御部４１は、コマンド信号生成部４３と無線通信部４４を制御して、記録再生装置６０を動作状態とするコマンド信号を送信してステップＳＴ４に進む。
【００５４】
ステップＳＴ４で制御部４１は、記録再生装置６０に対して記録動作の設定通知を行う。制御部４１は、コマンド信号生成部４３と無線通信部４４を制御して、記録再生装置６０で入力端子６４に供給される映像信号ＳＶtvと音声信号ＳＡtvの記録を行わせるためのコマンド信号を送信してステップＳＴ５に進む。
【００５５】
ステップＳＴ５で制御部４１は、予約番組の受信処理を行う。この受信処理において、制御部４１は、フロントエンド部２１で予約番組が放送されるチャンネルの選局や、デマルチプレクサ２２で予約番組のパケットの選択、信号選択部２５から出力端子３１への映像信号ＳＶtvと音声信号ＳＡtvの供給が行われるように制御してステップＳＴ６に進む。
【００５６】
ステップＳＴ６で制御部４１は、予約番組の放送が開始されるか否かを判別する。制御部４１は、予約番組の放送が開始されると判別していないときステップＳＴ６に戻り、予約番組の放送が開始されると判別したときステップＳＴ７に進む。例えば、制御部４１は、現在時刻が予約番組の放送開始時刻となったとき、または現在時刻が予約番組の放送開始時刻の直前となったときステップＳＴ７に進む。
【００５７】
ステップＳＴ７で制御部４１は、記録再生装置６０に対して記録動作の開始通知を行う。制御部４１は、コマンド信号生成部４３と無線通信部４４を制御して、記録再生装置６０の記録動作を開始させるコマンド信号を送信してステップＳＴ８に進む。
【００５８】
ステップＳＴ８で制御部４１は、予約番組の放送終了であるか否かを判別する。制御部４１は、現在時刻が予約番組の放送中であって予約番組の放送終了と判別していないときステップＳＴ８に戻り、現在時刻が予約番組の放送終了時刻となって予約番組の放送終了と判別したときステップＳＴ９に進む。
【００５９】
ステップＳＴ９で制御部４１は、記録再生装置６０に対して記録動作の停止通知を行う。制御部４１は、コマンド信号生成部４３と無線通信部４４を制御して、記録再生装置６０の記録動作を停止させるコマンド信号を送信してステップＳＴ１０に進む。
【００６０】
ステップＳＴ１０で制御部４１は、記録再生装置６０に対して動作終了通知を行う。制御部４１は、コマンド信号生成部４３と無線通信部４４を制御して、記録再生装置６０を非動作状態例えば待機状態や停止状態とするコマンド信号を送信してステップＳＴ１１に進む。
【００６１】
ステップＳＴ１１で制御部４１は、放送受信装置２０を動作状態から非動作状態例えば待機状態や停止状態に切り換えて処理を終了する。
【００６２】
図５のステップＳＴ２１で制御部７１は、動作開始通知が供給されたか否かを判別する。制御部７１は、放送受信装置２０からの無線信号を受信して記録再生装置６０を動作状態とするコマンド信号が得られたときはステップＳＴ２２に進み、動作状態とするコマンド信号が得られていないときはステップＳＴ２１に戻る。
【００６３】
ステップＳＴ２２で制御部７１は、記録再生装置６０を動作状態としてステップＳＴ２３に進む。
【００６４】
ステップＳＴ２３で制御部７１は、記録動作の設定通知が供給されたか否かを判別する。制御部７１は、放送受信装置２０からの無線信号を受信して記録再生装置６０の記録動作設定を行うコマンド信号が得られたときステップＳＴ２４に進む。また、記録再生装置６０の記録動作設定を行うコマンド信号が得られていないときはステップＳＴ２５に進む。
【００６５】
ステップＳＴ２４で制御部７１は、記録動作の設定を行う。すなわち、制御部７１は、入力端子６４に供給される映像信号ＳＶtvと音声信号ＳＡtvを記録できるように各部を設定してステップＳＴ２５に進む。
【００６６】
ステップＳＴ２５で制御部７１は、記録動作の開始通知が供給されたか否かを判別する。制御部７１は、放送受信装置２０からの無線信号を受信して記録再生装置６０の記録動作を開始するコマンド信号が得られたときステップＳＴ２６に進む。また、記録再生装置６０の記録動作を開始するコマンド信号が得られていないときはステップＳＴ２９に進む。
【００６７】
ステップＳＴ２６で制御部７１は、記録再生装置６０の記録動作を開始させる。すなわち、制御部７１は、記録再生信号処理部６７や記録再生部６９を動作させて、放送受信装置２０から供給されるコンテンツ信号を記録媒体に記録する処理を開始してステップＳＴ２７に進む。
【００６８】
ステップＳＴ２７で制御部７１は、記録再生装置６０の記録動作の停止通知が供給されたか否かを判別する。制御部７１は、放送受信装置２０からの無線信号を受信して記録再生装置６０の記録動作を停止させるコマンド信号が得られたときはステップＳＴ２８に進む。また、記録再生装置６０の記録動作を停止させるコマンド信号が得られていないときはステップＳＴ２７に戻る。
【００６９】
ステップＳＴ２８で制御部７１は、記録再生装置６０の記録動作を停止させる。例えば制御部７１は、記録再生信号処理部６７や記録再生部６９等の動作を停止させてステップＳＴ２９に進む。
【００７０】
ステップＳＴ２９で制御部７１は、動作終了通知が供給されたか否かを判別する。制御部７１は、放送受信装置２０からの無線信号を受信して記録再生装置６０の動作を終了させるコマンド信号が得られたときはステップＳＴ３０に進む。また、記録再生装置６０の動作を終了させるコマンド信号が得られていないときはステップＳＴ２３に戻る。
【００７１】
ステップＳＴ３０で制御部７１は、記録再生装置６０を動作状態から非動作状態例えば待機状態や停止状態に切り換えてステップＳＴ２１に戻る。
【００７２】
このように、電波を用いた無線通信で放送受信装置２０から記録再生装置６０にコマンド信号を送信して、予約番組のコンテンツ信号が記録再生装置６０で記録されるように遠隔操作が自動的に行われる。このため、ＡＶマウスを用いる場合のように、無線信号の送信側と受信側の装置の設置を精度良く行わなくとも、放送受信装置２０によって記録再生装置６０の遠隔操作が容易かつ確実に行われるので、予約番組のコンテンツ信号を記録再生装置６０で正しく記録できる。
【００７３】
ところで、上述の動作では、放送受信装置２０によって記録再生装置６０を遠隔操作するものとしたが、記録再生装置６０で放送受信装置２０の動作を遠隔操作することもできる。
【００７４】
例えば、視聴したい２つの放送番組の放送時間が重複するため、一方の放送番組は放送受信装置２０を用いてリアルタイムで視聴して、他方の放送番組を記録再生装置６０に記録する場合について説明する。なお、他方の放送番組を記録するための記録予約情報は、記録再生装置６０のメモリ部７２に記憶させておくものとする。
【００７５】
図６は記録再生装置６０で放送受信装置２０の動作を遠隔操作する場合の記録再生装置６０の動作、図７は記録再生装置６０で放送受信装置２０の動作を遠隔操作する場合の放送受信装置２０の動作を示すフローチャートである。
【００７６】
図６のステップＳＴ４１で制御部７１は、予約番組の放送開始から記録準備期間前となった否かを判別する。制御部４１は、現在時刻が記録準備期間前となったときステップＳＴ４２に進み、記録準備期間前となっていないときはステップＳＴ４１に戻る。なお、この場合に於ける記録準備期間は、記録再生装置６０で予約番組のコンテンツ信号を記録する制御動作を開始してからコンテンツ信号の記録が可能となるまでに要する期間である。
【００７７】
ステップＳＴ４２で制御部７１は、記録再生装置６０を動作状態に設定してステップＳＴ４３に進む。
【００７８】
ステップＳＴ４３で制御部７１は予約番組の受信処理を行う。この受信処理において、制御部７１は、フロントエンド部６１で予約番組が放送されるチャンネルの選局や、入力切換部６５でフロントエンド部６１から供給される信号の選択、記録再生信号処理部６７から出力端子６８に記録するコンテンツ信号の供給が行われるように制御してステップＳＴ４４に進む。
【００７９】
ステップＳＴ４４で制御部７１は、予約番組の放送が開始されるか否かを判別する。制御部７１は、予約番組の放送が開始されると判別していないときステップＳＴ４４に戻り、予約番組の放送が開始されると判別したときステップＳＴ４５に進む。例えば、制御部７１は、現在時刻が予約番組の放送開始時刻となったとき、または現在時刻が予約番組の放送開始時刻の直前となったときステップＳＴ４５に進む。
【００８０】
ステップＳＴ４５で制御部７１は、記録再生装置６０の記録動作を開始させる。すなわち、制御部７１は、フロントエンド部６１で選局した予約番組のコンテンツ信号を記録媒体に記録する処理を開始してステップＳＴ４６に進む。なお、制御部８１は記録しているコンテンツ信号を映像信号ＳＶre，音声信号ＳＡreとして出力端子３１に供給する。
【００８１】
ステップＳＴ４６で制御部７１は、放送受信装置２０における複数画面表示の設定通知を行う。制御部７１は、コマンド信号生成部７３と無線通信部７４を制御して、放送受信装置２０の表示部２８で複数画面表示を行わせるためのコマンド信号を送信してステップＳＴ４７に進む。
【００８２】
ステップＳＴ４７で制御部７１は、記録映像通知期間が経過したか否かを判別する。制御部７１は、複数画面表示を行わせるコマンド信号を送信してから記録映像通知期間が経過していないときステップＳＴ４７に戻り、記録映像通知期間が経過したときにステップＳＴ４８に進む。なお、記録映像通知期間とは、記録再生装置６０でどのようなコンテンツの映像信号の記録が開始されたかを放送受信装置２０で確認できるように、記録される映像信号に基づいて映像表示を行う期間を示している。
【００８３】
ステップＳＴ４８で制御部７１は、放送受信装置２０における複数画面表示の解除通知を行う。制御部７１は、コマンド信号生成部７３と無線通信部７４を制御して、放送受信装置２０の表示部２８で行われている複数画面表示を終了させるためのコマンド信号を送信してステップＳＴ４９に進む。
【００８４】
ステップＳＴ４９で制御部７１は、予約番組の放送終了であるか否かを判別する。制御部７１は、予約番組の放送終了と判別していないときステップＳＴ４９に戻り、予約番組の放送終了と判別したときステップＳＴ５０に進む。
【００８５】
ステップＳＴ５０で制御部７１は、記録動作を停止してステップＳＴ５１に進む。ステップＳＴ５１で制御部７１は、放送受信装置２０を動作状態から非動作状態例えば待機状態や停止状態に切り換えて処理を終了する。
【００８６】
図７のステップＳＴ６１で制御部４１は、複数画面表示の設定通知が供給されたか否かを判別する。制御部４１は、記録再生装置６０からの無線信号を受信して放送受信装置２０で複数画面表示を行うコマンド信号が得られたときはステップＳＴ６２に進み、複数画面表示を行うコマンド信号が得られないときはステップＳＴ６３に進む。
【００８７】
ステップＳＴ６２で制御部４１は、映像表示を複数画面表示に設定する。制御部４１は、信号選択部２５を制御して、記録再生装置６０から入力端子２４に供給された映像信号ＳＶreも映像信号処理部２６に供給させる。さらに制御部４１は、映像信号処理部２６を制御して、視聴中の映像だけでなく入力端子２４に供給されている映像信号ＳＶreに基づいた映像も同時に表示されるように、複数画面表示の映像信号ＳＶbを生成させてステップＳＴ６３に進む。例えば視聴中である映像信号ＳＶaに基づいた映像を親画面、入力端子２４に供給されている映像信号ＳＶreに基づいた映像を子画面とした映像信号ＳＶbを生成させる。
【００８８】
ステップＳＴ６３で制御部４１は、複数画面表示の解除通知が供給されたか否かを判別する。制御部４１は、記録再生装置６０からの無線信号を受信して複数画面表示を解除するコマンド信号が得られたときはステップＳＴ６４に進み、複数画面表示を解除するコマンド信号が得られていないときは、記録再生装置６０でどのようなコンテンツの映像信号の記録が開始されたか確認可能とする映像表示処理を終了する。
【００８９】
ステップＳＴ６４で制御部４１は、複数画面表示を終了する。制御部４１は信号選択部２５を制御して、入力端子２４に供給されている映像信号ＳＶreの映像信号処理部２６への供給を停止させる。また制御部４１は、映像信号処理部２６を制御して、映像信号ＳＶaに基づく映像のみを表示させる１画面表示の映像信号ＳＶbを生成させる。
【００９０】
このように、電波を用いた無線通信で記録再生装置６０から放送受信装置２０にコマンド信号を送信して、予約番組の記録が記録再生装置６０で行われたときには、放送受信装置２０が記録映像通知期間だけ複数画面表示に切り換えられて、記録中の映像が表示される。このため、ＡＶマウスを記録再生装置６０に設けなくとも、ユーザは、予約した放送番組の記録が記録再生装置６０で正しく開始されたか否かを放送受信装置２０の表示画面で確認することができる。
【００９１】
また、上述の実施の形態では、コンテンツ信号を記録再生装置６０で記録するときの遠隔操作について説明したが、記録再生装置６０に記録されているコンテンツ信号の再生時に、電波による無線通信で遠隔操作を行い、他方の装置を一方の装置の動作に連動させるものとしてもよい。
【００９２】
例えば、記録再生装置６０に記録されているコンテンツ信号を再生して放送受信装置２０に供給する場合、記録再生装置６０のユーザインタフェース部７６に設けられている再生キーが操作されたとき、放送受信装置２０を動作状態とするコマンド信号や、入力端子２４から供給されたコンテンツ信号に基づいてコンテンツ提示を行わせるコマンド信号を無線信号として放送受信装置２０に送信する。
【００９３】
このようにすれば、記録再生装置６０に記録されているコンテンツ信号を再生する場合、ユーザが放送受信装置２０を操作しなくとも、記録再生装置６０からのコマンド信号によって、再生されたコンテンツ信号に基づく映像や音声を放送受信装置２０で自動的に提示させることができる。また、記録再生装置６０の動作終了に連動させて放送受信装置２０の動作を終了させることもできる。
【００９４】
また、上述の実施の形態では、放送受信装置２０と記録再生装置６０で電波による無線通信を行うものとしたが、リモートコントロール装置に無線通信部を設けて、放送受信装置２０や記録再生装置６０と無線通信を行うことで放送受信装置２０や記録再生装置６０の遠隔操作を行うものとしてもよい。この場合、放送受信装置２０のユーザインタフェース部４６や記録再生装置６０のユーザインタフェース部７６にリモートコントロール信号受信部を設ける必要がなく、リモートコントロール装置８０にも赤外線信号を送信する赤外線送信部を設ける必要がない。
【００９５】
図８は電波による無線通信を行うことができるリモートコントロール装置の構成を示している。リモートコントロール装置８０は、操作キー部８１、コマンド信号生成部８２、無線通信部８３、アンテナ８４、制御部８５およびメモリ部８６を有している。
【００９６】
操作キー部８１には、ユーザが放送受信装置２０や記録再生装置６０等の遠隔操作を行うときに操作される複数の操作キーが設けられている。操作キー部８１は、操作された操作キーに応じた操作信号ＰＳcを後述する制御部８５に供給する。
【００９７】
コマンド信号生成部８２は、制御部８５から供給された制御信号ＣＴccに基づきコマンド信号ＲＭcを生成して無線通信部８３に供給する。
【００９８】
無線通信部８３は、放送受信装置２０や記録再生装置６０等と双方向無線通信を行うためのものであり、無線通信部４４，７４と同様に構成されている。
【００９９】
無線通信部８３は、コマンド信号生成部８２から供給されたコマンド信号ＲＭcを無線信号としてアンテナ８４から送信する。また、無線通信部８３は、無線信号を受信して得られた受信信号ＲＳcを制御部８５に供給する。なお、リモートコントロール装置８０は、上述したように放送受信装置２０や記録再生装置６０との間で予めペアリングを行い、登録した放送受信装置２０や記録再生装置６０等でのみ正しく無線通信を行うことができるようにする。
【０１００】
制御部８５はマイクロコンピュータ等を用いて構成されており、操作キー部８１やメモリ部８６が接続されている。メモリ部８６は例えば不揮発性メモリで構成されており、操作キー部８１のキー操作に応じてリモートコントロール装置８０を動作させるためのソフトウェア等が記憶されている。また、メモリ部８６には、記録予約情報等も記憶可能とされている。
【０１０１】
制御部８５は、操作キー部８１から操作信号ＰＳcが供給されたとき、操作キー部８１での操作に応じた制御信号ＣＴccをコマンド信号生成部８２に供給して、操作キー部８１のキー操作に応じたコマンド信号ＲＭcを無線通信部８３に供給させる。また、制御部８５は、時計機能を有しており、記録予約情報で示された予約番組の放送時刻に応じたタイミングでコマンド信号の送信を行い、放送受信装置２０や記録再生装置６０の遠隔操作を行う。また、制御部８５は受信信号ＲＳcに基づいた動作を行う。
【０１０２】
図９は、リモートコントロール装置８０の動作を示すフローチャート、図１０は放送受信装置２０の動作を示すフローチャートである。なお、記録再生装置６０の動作は、図５と同様であり、放送受信装置２０からの無線信号に代えてリモートコントロール装置８０からの無線信号に基づいて動作させればよい。
【０１０３】
図９のステップＳＴ７１で制御部８５は、予約番組の放送開始から記録準備期間前となった否かを判別する。制御部８５は、現在時刻が予約番組の放送開始から記録準備期間前となったときステップＳＴ７２に進み、記録準備期間前となっていないときはステップＳＴ７９に進む。なお、記録準備期間とは、ステップＳＴ１と同様に予約番組のコンテンツ信号を記録する制御動作を開始してからコンテンツ信号の記録が可能となるまでに要する期間である。
【０１０４】
ステップＳＴ７２で制御部８５は、放送受信装置２０と記録再生装置６０に対して動作開始通知を行う。制御部４１は、コマンド信号生成部８２と無線通信部８３を制御して、放送受信装置２０を動作状態とするコマンド信号と記録再生装置６０を動作状態とするコマンド信号を送信してステップＳＴ７３に進む。
【０１０５】
ステップＳＴ７３で制御部８５は、放送受信装置２０と記録再生装置６０に対して動作設定通知を行う。制御部４１は、コマンド信号生成部８２と無線通信部８３を制御して、放送受信装置２０に対しては、フロントエンド部２１で予約番組が放送されるチャンネルの選局や、デマルチプレクサ２２で予約番組のパケットの選択、信号選択部２５から出力端子３１への映像信号ＳＶtvと音声信号ＳＡtvの供給が行われるように放送受信装置２０を設定するためのコマンド信号を送信する。また記録再生装置６０に対しては、記録再生装置６０の入力端子６４に供給される映像信号ＳＶtvと音声信号ＳＡtvを記録するように記録再生装置６０を設定するためのコマンド信号を送信してステップＳＴ７４に進む。
【０１０６】
ステップＳＴ７４で制御部８５は、予約番組の放送が開始されるか否かを判別する。制御部８５は、予約番組の放送が開始されると判別していないときステップＳＴ７４に戻り、予約番組の放送が開始されると判別したときステップＳＴ７５に進む。
【０１０７】
ステップＳＴ７５で制御部８５は、記録再生装置６０に対して記録動作の開始通知を行う。制御部８５は、コマンド信号生成部８２と無線通信部８３を制御して、記録再生装置６０の記録動作を開始させるコマンド信号を送信してステップＳＴ７６に進む。
【０１０８】
ステップＳＴ７６で制御部８５は、予約番組の放送終了であるか否かを判別する。制御部８５は、予約番組の放送終了と判別していないときステップＳＴ７６に戻り、予約番組の放送終了と判別したときステップＳＴ７７に進む。
【０１０９】
ステップＳＴ７７で制御部８５は、記録再生装置６０に対して記録動作の停止通知を行う。制御部８５は、コマンド信号生成部８２と無線通信部８３を制御して、記録再生装置６０の記録動作を停止させるコマンド信号を送信してステップＳＴ７８に進む。
【０１１０】
ステップＳＴ７８で制御部４１は、放送受信装置２０と記録再生装置６０に対して動作終了通知を行う。制御部８５は、コマンド信号生成部８２と無線通信部８３を制御して、放送受信装置２０と記録再生装置６０を非動作状態例えば待機状態や停止状態とするコマンド信号を送信してステップＳＴ７１に戻る。
【０１１１】
ステップＳＴ７１からステップＳＴ７９に進むと、制御部８５は、ユーザ操作に応じたコマンド信号の送信処理を行う。すなわち、制御部８５は、コマンド信号生成部８２と無線通信部８３を制御して、操作キー部８１におけるユーザ操作に応じたコマンド信号を送信してステップＳＴ７１に戻る。
【０１１２】
図１０のステップＳＴ９１で制御部４１は、動作開始通知が供給されたか否かを判別する。制御部４１は、リモートコントロール装置８０からの無線信号を受信して放送受信装置２０を動作状態とするコマンド信号が得られたときステップＳＴ９２に進む。また、記録再生装置６０を動作状態とするコマンド信号が得られていないときはステップＳＴ９１に戻る。
【０１１３】
ステップＳＴ９２で制御部４１は、放送受信装置２０を動作状態としてステップＳＴ９３に進む。
【０１１４】
ステップＳＴ９３で制御部４１は、動作設定通知が供給されたか否かを判別する。制御部４１は、リモートコントロール装置８０からの無線信号を受信して放送受信装置２０の動作設定を行うコマンド信号が得られたときステップＳＴ９４に進む。また、放送受信装置２０の動作設定を行うコマンド信号が得られていないときはステップＳＴ９５に進む。
【０１１５】
ステップＳＴ９４で制御部４１は、放送受信装置２０の受信動作の設定を行う。すなわち、制御部４１は、フロントエンド部２１で予約番組が放送されるチャンネルの選局や、デマルチプレクサ２２で予約番組のパケットの選択、信号選択部２５から出力端子３１への映像信号ＳＶtv，音声信号ＳＡtvの供給が行われるように各部を設定してステップＳＴ９６に進む。
【０１１６】
ステップＳＴ９５で制御部４１は、動作終了通知が供給されたか否かを判別する。制御部４１は、リモートコントロール装置８０からの無線信号を受信して放送受信装置２０を非動作状態とするコマンド信号が得られたときステップＳＴ９６に進む。また、放送受信装置２０を非動作状態とするコマンド信号が得られていないときはステップＳＴ９３に戻る。
【０１１７】
ステップＳＴ９６で制御部４１は、放送受信装置２０を非動作状態例えば待機状態や停止状態に切り換えて処理を終了する。
【０１１８】
このように、電波を用いた無線通信でリモートコントロール装置８０から放送受信装置２０や記録再生装置６０にコマンド信号を送信して、予約番組のコンテンツ信号を放送受信装置２０から記録再生装置６０に供給して記録するように遠隔操作が行われる。このため、放送受信装置２０や記録再生装置６０を動作状態としたのち予約番組の設定を行わなくとも、リモートコントロール装置８０から送信されたコマンド信号によって、例えば放送受信装置２０で所望の番組を選局させて、選局した番組のコンテンツ信号を記録再生装置６０に記録させることができる。また、記録再生装置６０で記録される番組の映像を放送受信装置２０で表示させることができる。
【０１１９】
また、リモートコントロール装置８０は、例えばコンテンツ信号の供給側に対するコマンド信号を電波による無線通信で供給して、コンテンツ信号の受給側にはコンテンツ信号の供給側からコマンド信号を電波による無線通信で供給するものとしてもよい。
【０１２０】
例えば放送受信装置２０で受信した番組のコンテンツ信号を記録再生装置６０に記録させる場合、リモートコントロール装置８０は、予約番組の放送が開始されるときに放送受信装置２０で予約番組を選局するようにコマンド信号を送信する。このコマンド信号を受信した放送受信装置２０は、記録再生装置６０でコンテンツ信号の記録を行うようにコマンド信号を送信する。また、記録再生装置６０で記録されるコンテンツ信号の映像を放送受信装置２０で表示させる場合、リモートコントロール装置８０は、予約番組の放送が開始されるときに記録再生装置６０で予約番組の記録を行うようにコマンド信号を送信する。このコマンド信号を受信した記録再生装置６０は、放送受信装置２０を複数画面表示として、記録再生装置６０で記録されているコンテンツの映像表示を行うようにコマンド信号を送信する。
【０１２１】
このようにすれば、リモートコントロール装置８０で一方の装置のみを遠隔操作しても、他方の装置が一方の装置と連動して動作されることとなり、一方の装置から他方の装置に供給されたコンテンツ信号を容易かつ確実に処理することができる。
【図面の簡単な説明】
【０１２２】
【図１】装置制御システムの構成を示す図である。
【図２】放送受信装置の構成を示す図である。
【図３】記録再生装置の構成を示す図である。
【図４】放送受信装置の動作を示すフローチャートである。
【図５】記録再生装置の動作を示すフローチャートである。
【図６】記録再生装置の動作を示すフローチャートである。
【図７】放送受信装置の動作を示すフローチャートである。
【図８】リモートコントロール装置の構成を示す図である。
【図９】リモートコントロール装置の動作を示すフローチャートである。
【図１０】放送受信装置の動作を示す図である。
【符号の説明】
【０１２３】
１０・・・装置制御システム、２０・・・放送受信装置、２１，６１・・・フロントエンド部、２２・・・デマルチプレクサ、２３・・・デコーダ部、２４，６４・・・入力端子、２５・・・信号選択部、２６，６６・・・映像信号処理部、２７・・・重畳処理部、２８・・・表示部、２９・・・音声信号処理部、３０・・・スピーカ、３１，６８・・・出力端子、４１，７１，８５・・・制御部、４２，７２，８６・・・メモリ部、４３，７３，８２・・・コマンド信号生成部、４４，７４，８３・・・無線通信部、４５，７５，８４・・・アンテナ、４６，７６・・・ユーザインタフェース部、６０・・・記録再生装置、６５・・・入力切換部、６７・・・記録再生信号処理部、６９・・・ 記録再生部、８０・・・リモートコントロール装置、８１・・・操作キー部，９０・・・信号ケーブル
【図１】
2009010643.tif 000003
【図２】
2009010643.tif 000004
【図３】
2009010643.tif 000005
【図４】
2009010643.tif 000006
【図５】
2009010643.tif 000007
【図６】
2009010643.tif 000008
【図７】
2009010643.tif 000009
【図８】
2009010643.tif 000010
【図９】
2009010643.tif 000011
【図１０】
2009010643.tif 000012